(57)【要約】【課題】にラッチ錠を取付け場合、閉鎖位置にてラッチングを確実に行うことができること。【解決手段】錠箱にトリガー部材を配設し、また錠箱の上側と下側にラッチ枠３Ａ、３Ｂを設け、これらのラッチ枠内に同一構成の反転式ラッチ５Ａ、５Ｂを、そのラッチングする係止面６が相互に対称となるように組込み、上下の反転式ラッチの係合受け部９に係脱する上下のロッキングピース１５Ａ、１５Ｂを軸支し、トリガー部材はトリガーヘッド２２からロッキングピースの先端部１５ａに対向するように延在する水平杆部分２３に操作部材用の可動のロック手段２４を備えると共に複数個の制御バネに制御され、開扉した際、ロック手段は制御バネのバネ力により所定位置へと位置変位してロッキングピースをロック状態にするラッチ錠。【選択図】図２
2008285892.tif 000002
【特許請求の範囲】
【請求項１】
操作部材側の駆動片に基づきラッチバネのバネ力に抗してラッチ枠内の反転式ラッチの拘束を解く方向に移動するロッキングピースを備えたラッチ錠に於いて、前記錠箱のフロント板にトリガー部材を進退動自在に配設し、また錠箱に上下のラッチ枠３Ａ、３Ｂをそれぞれ設け、これらのラッチ枠内に同一構成の反転式ラッチ５Ａ、５Ｂを、そのラッチングする係止面６が相互に対称となるようにそれぞれ組込み、また、前記反転式ラッチの係合受け部９に同時に係脱する上下のロッキングピース１５Ａ、１５Ｂを錠箱にそれぞれ軸支し、さらに、前記トリガー部材は、トリガーヘッド２２からロッキングピースの先端部１５ａに対向するように延在する水平杆部分２３に操作部材用のロック手段２４を備えると共に複数個の制御バネに制御され、開扉した際、前記ロック手段２４は、前記制御バネのバネ力により所定位置へと位置変位してロッキングピースをロック状態にすることを特徴とするラッチ錠。
【請求項２】
請求項１に於いて、ロッキングピースとトリガー部材の水平杆部分２３との間には、操作手段から手を放すことを条件として仮施錠方向に回転するロッキングピースに追動してロック手段２４のロック方向への移動を許容するストッパー手段が介在していることを特徴とするラッチ錠。
【請求項３】
請求項２に於いて、ストッパー手段は、基端部が軸支されたストッパー本体と、該ストッパー本体をロッキングピースの先端部１５ａ側に付勢するバネとから成り、ロック手段２４はストッパー手段を介してロッキングピースをロック状態にすることを特徴とするラッチ錠。
【請求項４】
操作部材側の駆動片に基づきラッチバネのバネ力に抗してラッチ枠内の反転式ラッチの拘束を解く方向に移動するロッキングピースを備えたラッチ錠に於いて、前記錠箱のフロント板に一つのトリガー部材を進退動自在に配設し、また錠箱に上下のラッチ枠３Ａ、３Ｂをそれぞれ設け、これらのラッチ枠内に同一構成の反転式ラッチ５Ａ、５Ｂを、そのラッチングする係止面６が相互に対称となるようにそれぞれ組込み、また、前記反転式ラッチの係合受け部９に同時に係脱する上下のロッキングピース１５Ａ、１５Ｂを錠箱にそれぞれ軸支し、さらに、前記トリガー部材は、トリガーヘッド２２からロッキングピースの先端部１５ａに対向するように延在する水平杆部分２３に連係するように錠箱に軸支された操作部材用のロック手段２４を備えると共に複数個の制御バネに制御され、開扉した際、前記ロック手段２４は、前記制御バネのバネ力により所定位置へと位置変位してロッキングピースをロック状態にすることを特徴とするラッチ錠。
【発明の詳細な説明】
【技術分野】
【０００１】
本発明は、ラッチ錠に関する。
【背景技術】
【０００２】
特許文献１には、錠箱内に延出する操作部材側の駆動片により、ラッチバネのバネ力に抗してラッチ枠内の反転式ラッチの拘束を解く方向に移動するロッキングピースを備えたラッチ錠が記載されている。
【０００３】
また、特許文献２には、錠箱内に延出する操作部材側の駆動片により、第１・第２の磁性体の極性に対応して反発しながらラッチ枠内の反転式ラッチの拘束を解く方向に移動するロッキングピースを備えたラッチ錠が記載されている。
【０００４】
これらの特許文献１、２に記載のラッチ錠は、ラッチ枠内に組み込んだ反転式のラッチに対して、単数又は複数個のロッキングピースでラッチを拘束し又は拘束を解くものの、自由扉（基端部が枢着され、自由端部にラッチを有する扉のこと）に適用することができない。そこで、現在、反転式のラッチを用いることを前提として、自由扉に適用することができるラッチ錠の出現が期待されている。その場合、閉扉時にラッチングを阻害しない工夫、スペースの有効活用等が望まれる。
【特許文献１】特開平１１−１４１２０７号公報
【特許文献２】特開２００４−２７０１３２号公報
【発明の開示】
【発明が解決しようとする課題】
【０００５】
本発明の第１の目的は、自由扉にラッチ錠を取付け場合、閉鎖位置にてラッチングを確実に行うことができることである。第２の目的は、開扉時に於いて、操作手段から手を放した後にトリガー部材のロック手段がロッキングピースをロック状態にすることである。第３の目的は、錠箱内の空間を有効的に活用することである。第４の目的は、反転式ラッチに対する係合部が回転対称であって、各係合部が、カム機能を有する傾斜表面とアールを有する平表面とから成る受け具に対応することである。
【課題を解決するための手段】
【０００６】
本発明のラッチ錠は、操作部材側の駆動片に基づきラッチバネのバネ力に抗してラッチ枠内の反転式ラッチの拘束を解く方向に移動するロッキングピースを備えたラッチ錠に於いて、前記錠箱のフロント板にトリガー部材を進退動自在に配設し、また錠箱に上下のラッチ枠３Ａ、３Ｂをそれぞれ設け、これらのラッチ枠内に同一構成の反転式ラッチ５Ａ、５Ｂを、そのラッチングする係止面６が相互に対称となるようにそれぞれ組込み、また、前記反転式ラッチの係合受け部９に同時に係脱する上下のロッキングピース１５Ａ、１５Ｂを錠箱にそれぞれ軸支し、さらに、前記トリガー部材は、トリガーヘッド２２からロッキングピースの先端部１５ａに対向するように延在する水平杆部分２３に操作部材用のロック手段２４を備えると共に複数個の制御バネに制御され、開扉した際、前記ロック手段２４は、前記制御バネのバネ力により所定位置へと位置変位してロッキングピースをロック状態にすることを特徴とする。
【０００７】
また、本発明のラッチ錠は、操作部材側の駆動片に基づきラッチバネのバネ力に抗してラッチ枠内の反転式ラッチの拘束を解く方向に移動するロッキングピースを備えたラッチ錠に於いて、前記錠箱のフロント板にトリガー部材を進退動自在に配設し、また錠箱に上下のラッチ枠３Ａ、３Ｂをそれぞれ設け、これらのラッチ枠内に同一構成の反転式ラッチ５Ａ、５Ｂを、そのラッチングする係止面６が相互に対称となるようにそれぞれ組込み、また、前記反転式ラッチの係合受け部９に同時に係脱する上下のロッキングピース１５Ａ、１５Ｂを錠箱にそれぞれ軸支し、さらに、前記トリガー部材は、トリガーヘッド２２からロッキングピースの先端部１５ａに対向するように延在する水平杆部分２３に連係するように錠箱に軸支された操作部材用のロック手段２４を備えると共に複数個の制御バネに制御され、開扉した際、前記ロック手段２４は、前記制御バネのバネ力により所定位置へと位置変位してロッキングピースをロック状態にすることを特徴とする。
【発明の効果】
【０００８】
（ａ）自由扉にラッチ錠を取付ける場合、閉鎖位置にてラッチングを確実に行うことができる（ラッチング機能を阻害しない）。例えば操作部材がプッシュ・プル方式である場合、ハンドルをプッシュしながら閉扉操作しても、上下のラッチが同時に受け具の係入穴に入り込まない限り、前記係入穴を形成する係合部（側壁部分の傾斜状表面とアール乃至平表面）に上下の反転式ラッチの先端部がそれぞれ衝突状態に摺接（衝接）しても、上下の反転式ラッチは、反転することなく、そのままの姿勢を維持する。したがって、上下の反転式ラッチは、常にラッチング可能な態勢で受け具の係入穴に入り込む（係合する）。
（ｂ）上下のロッキングピースに対して共用する一つのトリガー部材を用いることにより、錠箱内の空間を有効的に活用することができる。
（ｃ）請求項２、請求項３に記載の発明は、開扉時に於いて、操作手段から手を放した後に、ロッキングピースが仮施錠方向へと回転するので、開扉時に一時的にトリガー部材のロック手段の復帰を止めていたストッパー部材のストッパー本体がロック手段のロック方向への移動を許容する。したがって、開扉時、操作手段から手を放した後に、トリガー部材のロック手段がロッキングピースをロック状態にする。
（ｄ）例えば左右の側壁部分の係合部が回転対称であって、各係合部が、カム機能を有する傾斜表面とアールを有する平表面とから成る受け具に対応することができる。
【発明を実施するための最良の形態】
【０００９】
以下、図１乃至図１４に示す本発明を実施するための最良の形態により説明する。
【００１０】
（１）発明の実施の環境
Ｘはラッチ錠で、このラッチ錠Ｘは、扉Ｙに取付けられる錠本体１と、この錠本体のラッチに対向するように戸枠Ｚの縦枠に固定される受け具５０とから成る。扉Ｙは、その基端部が戸枠Ｚの縦枠に蝶番を介して軸支され、水平方向に揺動する。扉Ｙの自由端部に錠本体１が固定されている。
【００１１】
まず、錠本体１の構成を説明する。２は扉Ｙにねじ等で取り付けられた錠箱で、周知のように、錠箱２は、ケース身２ａと、ケース蓋２ｂから構成されている。錠箱２は、フロント板を有し、このフロント板の中央部には不番のトリガー部材用開口が形成されている。また、フロント板の上下端部には、不番の固着具用の取付け孔が形成されている。さらに、フロント板の上下端部寄りの部位には、不番の上下一対のラッチ用開口が形成されている。
【００１２】
なお、錠箱２のケース身２ａ及びケース蓋２ｂには、トリガー部材を案内する案内垂直長孔、係合作用片用の軸孔、駆動片用の開口等が適宜に形成されている。ここでは、細部的事項の符号や説明は割愛し、主な部材について説明する。
【００１３】
（２）ラッチ枠
本実施例では、錠箱２のフロント板の中心部に一つのトリガー部材２１を進退動自在に配設し、このトリガー部材２１を基準として錠箱２の上側と下側にラッチ枠３Ａ、３Ｂをそれぞれ固定的に設け、これらのラッチ枠３Ａ、３Ｂ内に上下方向に位置する同一構成の反転式ラッチ５Ａ、５Ｂを、そのラッチングする係止面６が相互に対称となるように組込んでいる。
【００１４】
上側と下側のラッチ枠３Ａ、３Ｂは同一構成である。これらのラッチ枠３Ａ、３Ｂは、それぞれ水平対向壁３ａと、該水平対向壁に直交する垂直壁３ｂとを有している。そして、水平対向壁３ａには、ロッキングピース１５Ａ、１５Ｂの先端部１５ａ、１５ａを受け入れる切欠状の開口が形成され、一方、水平対向壁に直交する垂直壁３ｂの内面には、バネ端支持部が突出形成されている。
【００１５】
（３）ラッチ
符号５Ａ、５Ｂは、上下一組のラッチ枠３Ａ、３Ｂ内にそれぞれ配設された上下一対のラッチである。これらのラッチ５Ａ、５Ｂは、それぞれ反転式のラッチであり、その後端部がラッチ枠３Ａ、３Ｂ内に収まるようにフロント板の上下のラッチ用開口にそれぞれ配設されている。
【００１６】
しかも、図１乃至図５で示すように、これらのラッチ５Ａ、５Ｂは、扉の自由端面から見た場合、或は図４及び図５の水平断面説明図を平面視から見た場合を基準にすると、ラッチングする係止面６が相互に対称に位置するように配設されている。なお、図４は上方のラッチ５Ａを基準にした断面であり、一方、図５は下方のラッチ５Ｂを基準にした断面である。
【００１７】
したがって、図１及び図４では、上位のラッチ５Ａの係止面６は向こう側（図４では上位のラッチ５Ａはハッチングされている）に位置し、一方、図１及び図５では、下位のラッチ５Ｂの係止面６は手前側（図５では下位のラッチ５Ｂはハッチングされている）に位置している。
【００１８】
ところで、反転式のラッチの構造に関しては、例えば特開平８−１００５５９号公報、特許公開平９−３２５２４８号公報、特許公開平１０−３１１１７３号公報、特開平１１−１４１２０７号公報、特許公開２００３−７４２４５号公報等に記載されているように、当業者にとって周知事項である。
【００１９】
したがって、ここでは、周知事項に関しては簡単に説明する。反転式のラッチは、平面形状がほぼ菱形に形成され、前述したラッチングの係止面６、受け具５０の係合部５１に対する傾斜面７、ストッパー用突起８、係合受け部９等を有している。上下のラッチ５Ａ、５Ｂは、それぞれラッチばね１１により錠箱２のフロント板から突出する方向に付勢されている。
【００２０】
したがって、普通一般に、反転式のラッチは、扉Ｙの開閉時、受け具の係合部に摺接すると、ラッチの後端部（内端部）に嵌め込まれた平面門形形状のラッチ受け１０及びラッチばね（圧縮コイルばね）１１を介して反転かつ進退動する。
【００２１】
また、ラッチ５Ａ、５Ｂとラッチ受け１０との間はラッチばね１１で押し付けられて組み付けられた状態にあるが、相対的な回動（ラッチ受けに対するラッチの反転）は許容されている。また、ラッチ５Ａ、５Ｂは、閉扉時から開扉時の場合、ラッチばね１１のバネ力に抗して反転しながら後退した後は、前記ラッチばね１１のバネ力により、当初の位置へと戻る。
【００２２】
さらに、ラッチ５Ａ、５Ｂは、開扉時から閉扉時の場合、例えばハンドルをプッシュしながら閉扉操作しても、上下のラッチ５Ａ、５Ｂが同時に受け具５０の係入穴５２に入り込まない限り、前記係入穴を形成する係合部（側壁部分の傾斜状表面５１ａとアール乃至平表面５１ｂ）５１にそれらの先端部がそれぞれ衝突状態に摺接しても、上下の反転式ラッチは、反転することなく、そのままの姿勢を維持する。
【００２３】
（４）上下のロッキングピース
本実施例では、上下のロッキングピース１５Ａ、１５Ｂは、指状の先端部１５ａが、ラッチ枠３Ａ、３Ｂのトリガー部材２１側の水平対向壁３ａに形成した開口に臨むように配設されている。これらのロッキングピース１５Ａ、１５Ｂは、それぞれ上方の固定軸（例えば固定枢軸）１６と、下方の固定軸（例えば固定枢軸）１６を介して所定量回動可能に軸支されている。そして、指状の先端部１５ａが、ラッチ枠３Ａ、３Ｂの前記水平対向壁３ａの各開口を介して各ラッチの係合受け部９に選択的に係脱する。
【００２４】
さて、ロッキングピース１５Ａ、１５Ｂは同一構成なので、ここでは、図８を参照にして、下方のロッキングピース１５Ｂを説明するが、ロッキングピース１５Ｂ（１５Ａ）、該ロッキングピース１５Ｂに対して作用する係合作用片（作動レバー）３１Ｂ（３１Ａ）、係合作用片と係合する大・小の枠状摺動体３２等の具体的構成については、例えば特開２００６−３２８８８２号公報に詳細に記載されている。
【００２５】
したがって、ロッキングピース１５Ｂ、係合作用片３１Ｂ及び複数個の枠状摺動体３２の構成・作用は公知事項なので、ここでは、各部材１５Ｂ、３１Ｂ、３２の構成を簡単に説明する。
【００２６】
図８に於いて、まず、ロッキングピース１５Ｂは、指状の先端部１５ａと、これに連設する後端部１５ｂとから成り、ラッチ枠３Ｂの角部付近に位置すると共に、前記後端部１５ｂの不番軸孔を貫通する第１の固定枢軸１６に軸支されている。そして、後端部１５ｂは、一つの摺動体（実施例では大きい方の枠状摺動体）に係合する垂直のアーム部１５ｃを有していると共に、係合作用片３１Ｂの指状先端部３１ａと係合する突片状の受け部分１５ｄを有している。
【００２７】
次に、係合作用片（作動レバー）３１Ｂは、第１の固定枢軸１６に対して所定間隔離間して錠箱２の後方側に横設軸架された第２の固定枢軸１７、不番軸孔を介して軸支されている。係合作用片３１Ｂの後端部３１ｂはアングル状に適宜折り曲げ形成されている。そして、係合作用片３１Ｂは、他の摺動体（実施例では大きい方の枠状摺動体内に位置付けられた小さい方の枠状摺動体）に係合する垂直のアーム部３１ｃを有している。
【００２８】
次に、複数個の枠状摺動体３２は、公知例のように、例えば端面コ字形状、先端部開口の端面コ字形状等に形成され、錠箱２の水平案内長孔に係合している。そして、これらの枠状摺動体３２の間には、操作部材６０の軸部に連係するように設けられ、かつ錠箱２の側壁に形成した開口６１を介して錠箱２内に延出する複数個の駆動片６２が位置付けられている。
【００２９】
本実施例では、一つの駆動片６２が内外いずれかの操作部材６０の操作力により所定方向（実施例では水平方向）に移動して、一つの摺動体（例えば大きい方の枠状摺動体）が錠箱２の後壁側に水平移動すると、ロッキングピース１５Ｂ（１５Ａ）の後端部１５ｂの垂直アーム部１５ｃを押圧するので、ロッキングピース１５Ｂは、第１の固定枢軸１６に巻装されたロッキングバネ１８のバネ力に抗して係合解除（ラッチの拘束を解く）方向へと回転する。
【００３０】
一方、閉扉時から開扉時へと移行した時に操作部材６０から手を放すと、又は開扉時から閉扉時に移行した場合に於いて、上下のロッキングピース１５Ａ、１５Ｂは、それぞれのロッキングバネ１８のバネ力により、その先端部１５ａが上下のラッチ５Ａ、５Ｂの各係合受け部９に係合する。
【００３１】
付言すると、図１の閉扉時及び図２の開扉時のそれぞれに於いて、操作部材から手を放している場合には、駆動片６２は摺動体３２を押圧しないので、上下一対の固定枢軸１６にそれぞれ巻装したロッキングバネ１８のバネ力が、上下のロッキングピース１５Ａ、１５Ｂをそれぞれラッチに係合する方向に付勢していることから、内外いずれかの操作部材６０の操作力により、摺動体３２を介して、かつロッキングバネ１８のバネ力に抗して上下のロッキングピース１５Ａ、１５Ｂが回動しない限り、上下のラッチ５Ａ、５Ｂの各係合受け部９は、上下のロッキングピース１５Ａ、１５Ｂの各先端部１５ａにそれぞれ係止されている。
【００３２】
図１は、閉扉時に於いて、受け具（ストライク板）５０の係入穴５２に突出状態で係入された上下のラッチ５Ａ、５Ｂは、上下のロッキングピース１５Ａ、１５Ｂの各先端部１５ａにより、同時に突出位置に拘束される状態を示し、一方、図２は、開扉時に於いて、受け具（ストライク板）５０の係入穴５２から抜けた上下のラッチ５Ａ、５Ｂは、上下のロッキングピース１５Ａ、１５Ｂの各先端部１５ａにより、同時に突出位置に拘束される状態であると共に、操作部材の操作力により、上下のロッキングピース１５Ａ、１５Ｂがロック解除の方向へ回転しないように、さらに、次に説明するトリガー部材のロック手段２４並びにストッパー手段を介してロックされている状態を示す。
【００３３】
（５）トリガー部材
符号２１は、錠箱２の前方の中央部に配設された一つのトリガー部材である。このトリガー部材２１は、フロント板の中央部のトリガー用開口に進退動自在に配設されている。
【００３４】
さて、本実施例のトリガー部材２１は、断面コ字形状のトリガーヘッド２２と、このトリガーヘッド２２からロッキングピース１５Ａの先端部１５ａに対向するように延在する水平杆部分２３と、この水平杆部分２３に可動的（スライド可能）に設けられ、かつ扉Ｙを開いた状態で操作部材６０の操作を不可とするようにロッキングピース１５Ａに係合して該ロッキングピース１５Ａをロックする操作部材用ロック手段２４と、このロック手段２４の位置を制御するように該ロック手段２４に対して錠箱２内に水平方向に配設された複数個の制御バネ２５、２６とから成る。
【００３５】
なお、制御バネ２５、２６は、本発明の目的を考慮して、前側の制御バネ２５は、後側の制御バネ２６よりも弱い（扉の開閉の際におけるロック手段２４の位置変位のタイミングやバランスを考慮）。
【００３６】
しかして、前記トリガーヘッド２２には受け具５０のカム機能を有する係合部５１と摺接する水平のローラ２７が軸支されている。また、前記ロック手段２４は、図６で示すように、ドーナツ形状、或は五円玉形状をしており、水平杆部分２３の後端部に外嵌合し、その外周面２４ａはロッキングピース１５Ａの背側の係合部（係合面）１９に直接又は間接的（本実施例）に係脱可能である。
【００３７】
さらに、複数個の制御バネ２５、２６は、水平杆部分２３の延在方向に配設されており、例えばトリガーヘッド２２とロック手段２４との間に介在する前側の制御バネ２５と、ロック手段２４と錠箱内部の後端部側に固定したバネ端受け２８との間に介在する後側の制御バネ２６に区分けされ、前後の制御バネ２５、２６のバネ力は適宜に設定されている。
【００３８】
なお、特に図示しないが、円盤状のロック手段２４の外周面２４ａの適宜箇所には、錠箱２のケース身２ａ又は／及びケース蓋２ｂに形成した水平案内長孔に係合するガイド突起が設けられている。また、ロック手段２４は水平杆部分２３の後端部から外れないように適宜に装着されている。
【００３９】
（６）ストッパー手段３５
本実施例では、発明の一つの目的（ロックするタイミングを図ること）を達成するために、加味的要件を備えている。それは、錠箱２内にトリガー部材２１を挟むように上下一対配設されたロック手段２４用のストッパー手段３５である。
【００４０】
すなわち、上下のストッパー手段３５は、ロッキングピース１５Ａ、１５Ｂの各先端部１５ａとトリガー部材２１の水平杆部分２３との間にそれぞれ配設され、操作手段６０から手を放すことを条件として仮施錠方向に回転するロッキングピース１５Ａ、１５Ｂに追動してロック手段２４のロック方向への移動を許容する。
【００４１】
本実施例では、ストッパー手段３５は、基端部がフロント板の中央部の近傍に位置する横軸３７に軸支された指状のストッパー本体３６と、該ストッパー本体３６の自由端部をロッキングピースの先端部１５ａ側に付勢するように前記横軸３７に巻装されたバネ３８とから成り、ストッパー手段３５がロック手段２４の前面から外れた時、ロック手段２４は、ストッパー手段３５を介して上下のロッキングピースを同時にロック状態にする。
【００４２】
（７）閉扉から開扉へ
図１は、前述したように閉扉状態に於いて、操作部材６０から手を放した場合である。ロック手段２４は、図１で示すように、トリガーヘッド２２のローラ２７が受け具５０の係合部５１に圧接すると、トリガー部材２１が後側の制御バネ２６のバネ力に抗して錠箱２の内部へと後退動することから、外周面２４ａはロッキングピース１５Ａの背側の係合部１９から外れる。
【００４３】
本実施例では、受け具５０のトリガーヘッド２２のローラ２７を受ける部分（受け具５０の中央部）が平担状（設計如何によっては若干膨出状にしても良い）なので、図１で示すように、扉の閉戸時、トリガー部材２１は、平担状部分５４に圧接して錠箱２の内部へと後退動する。そうすると、可動のロック手段２４は、制御バネの制御により、上下のロッキングピース１５Ａ、１５Ｂの各背側係合部１９、１９から離れる。
【００４４】
したがって、仮施錠状態にある上下のラッチ５Ａ、５Ｂを解錠させる場合には、図示しないシリンダ錠に差し込んだ鍵、サムターン方式のカム部材、回転式の操作部材、プッシュ・プル式の操作部材等の操作力により、上下のロッキングピース１５Ａ、１５Ｂをロッキングバネ１８のバネ力に抗して所定方向へと移動させ、上下のラッチ５Ａ、５Ｂの係合受け部９から係合離脱させる必要がある。
【００４５】
図９の（ａ）〜（ｃ）は、図１の閉扉状態に於いて、操作部材６０を操作して扉Ｙを開いた場合の作用説明図である。説明の便宜上、各部材の移動方向に矢印を入れる。ここでは、操作部材６０が、例えばプッシュ・プル方式のハンドルであることを前提として説明する。
【００４６】
図９の（ａ）は、内外いずれかのハンドル６０をプルした場合である。この場合、一つの水平方向へと移動する駆動片６２により、大きい外側の枠状摺動体３２が矢印Ａ方向へと水平移動する。
【００４７】
そうすると、上下のロッキングピース１５Ａ、１５Ｂは、上下の固定枢軸１６を基準にして矢印方向（係合解除方向）に回転する。つまり、上下のラッチ５Ａ、５Ｂは仮施錠状態から解かれる。この時、ストッパー手段３５のストッパー本体３６は、ロッキングピース１５Ａ、１５Ｂの先端部の背側で押されて矢印方向（自由端部がトリガー部材に接近する方向）に回動する。
【００４８】
手前側にプルする（引く）場合には、普通一般に操作部材６０をプルした状態で扉Ｙを手前へと引っ張る。そこで、図９の（ｂ）は、ハンドル６０をプルしたままの状態で扉Ｙを手前に開いた場合に於いて、上下のラッチ５Ａ、５Ｂが反転しながら受け具５０の係合部５１を乗り越えた瞬間である（なお、上下のラッチ５Ａ、５Ｂは反転しながら後退動しても、ラッチばね１１により戻される）。したがって、図９の（ｂ）では、受け具５０を示していない。
【００４９】
図９の（ｂ）の時、ハンドル６０をプルしたままの状態であるから、一つの駆動片６２、枠状摺動体３２、ロッキングピース１５Ａ、１５Ｂ、ストッパー本体３６の位置はそのままである。
【００５０】
図９の（ｃ）は、上下のラッチ５Ａ、５Ｂが受け具５０の係合部５１を乗り越えたことから、後側の制御バネ２６のバネ力により、トリガー部材２１が矢印Ｂ方向（突出方向）へ移動し始めた初期の段階を示す。後側の制御バネ２６のバネ力は、前述したように前側の制御バネ２５のバネ力よりも強い。この時、操作部材６０をプルした状態で扉Ｙを手前へと引っ張っている最中であるから、一つの駆動片６２、枠状摺動体３２、ロッキングピース１５Ａ、１５Ｂ、ストッパー本体３６の位置は相変わらずそのままである。そこで、トリガー部材２１が矢印Ｂ方向（突出方向）へ所定量移動すると、上下のストッパー本体３６の自由端部に円盤状のロック手段２４の前面が衝突する。
【００５１】
そして、操作部材６０から手を放すと、図２の開扉状態となる。プルの状態が終わり、操作部材６０を手から離すと、上下のロッキングピース１５Ａ、１５Ｂは上下の固定枢軸１６を基準にしてそれぞれ回動し、それらの先端部１５ａは上下のラッチ５Ａ、５Ｂの係合受け部９に係合する（ラッチを拘束する）。その時、ストッパー本体３６はバネ３８で外方向（トリガー部材から離れる方向）に付勢されているから、ロッキングピース１５Ａ、１５Ｂが仮施錠方向へと回転すると、ロッキングピース１５Ａ、１５Ｂの動きに追動してロック手段２４の前面から放れる。
【００５２】
付言すると、開扉時に一時的にトリガー部材２１のロック手段２４の移動を止めていたストッパー部材３５のストッパー本体３６がロック手段のロック方向への移動を許容する。
【００５３】
その結果、図２で示すように、ロック手段２４が所定のロック位置へと移動し、本実施例では、ストッパー本体３６を介してロッキングピース１５Ａ、１５Ｂをそれぞれロック状態にする。それ故に、開扉時には操作部材６０を操作することができない。
【００５４】
（８）開扉から閉扉へ
図１０の（ａ）と（ｂ）は、図２の開扉状態から操作部材６０を操作して扉Ｙを閉めた場合の状態を示す。前項で説明したように、開扉時には操作部材６０を操作することができないことから、操作部材６０を操作（プッシュ）しても、当該操作部材６０は動かない（回転や揺動はしない）。したがって、上下の反転式ラッチ５Ａ、５Ｂは、上下のロッキングピース１５Ａ、１５Ｂにそれぞれ同時に拘束されている。
【００５５】
そこで、操作部材６０がプッシュ・プル方式である場合、操作部材６０をプッシュすると、上下の反転式ラッチの先端部は、受け具５０の係入穴５２を形成する係合部（側壁部分の傾斜状表面とアール乃至平表面）に衝突状態に摺接するが、反転することなく、そのままの姿勢を維持しながら、受け具５０の係入穴５２に同時に入り込む。
【００５６】
図１０の（ａ）は、上下の反転式ラッチ５Ａ、５Ｂが受け具５０の係入穴５２に入り込んだ瞬間である。この時、トリガー部材２１のトリガーヘッド２２は受け具５０の平担部分５４に圧接することから、錠箱２内に後退動する。
【００５７】
そうすると、一瞬であるが、前側の制御バネ２５が収縮状態となる。図１０の（ｂ）は、その直後、前側の制御バネ２５が復帰し、その結果、ロック手段２５が水平杆部分２３をスライドしてストッパー本体３６から離れ、図１の状態になったことを示している。
【００５８】
したがって、本実施例では、上下の反転式ラッチが同時に受け具５０の係入穴５２に入り込まない限り、操作部材６０を操作することができない。換言すると、上下の反転式ラッチは、常にラッチング可能な態勢で受け具の係入穴に係合する。
【００５９】
（９）受け具
図４、図５、図１１乃至図１３は、錠本体１に対応する受け具５０の一例を示す。本実施例の錠本体１は、錠箱２のフロント板の中心部に一つのトリガー部材２１を進退動自在に配設し、このトリガー部材２１を基準として錠箱２の上側と下側にラッチ枠３Ａ、３Ｂをそれぞれ設け、これらのラッチ枠３Ａ、３Ｂ内に上下方向に位置する同一構成の反転式ラッチ５Ａ、５Ｂを、そのラッチングする係止面６が相互に対称となるように組み込んでいることから、揺動する扉Ｙの自由端部の中央に対応する箇所、つまり、受け具５０の中央部にトリガー部材２１のトリガーヘッド２２を受ける平担部分５４を形成し、この平担部分５４の上側と下側に所定形状の係入穴５２を上下に合計２個形成している。そして、各係入穴５２の左右の側壁部分がラッチ用の係合部５１である。
【００６０】
ところで、前記左右の係合部５１は、それぞれ回転対称であって、かつ、上下に区分された二つの係合部分から成っている。例えば図１１の１３−１３線に基づく断面図（図４、図１３）等を参照に説明すると、一方（左側）の係合部分５１ａはラッチの係止面（先端）６が摺接する傾斜状のカム面（傾斜状表面）であり、他方（右側）の係合部分５１ｂはラッチの傾斜面７が摺接するアングル形のカム面（アールを有する平表面）となっている。しかも、前記一方の傾斜状表面の係合部分５１ａは、他方のアールを有する平表面の係合部分５１ｂよりも底壁５３側に多少落ち込んでいる。
【００６１】
付言すると、上方左側の係合部５１の係合部分が傾斜状のカム面（傾斜状表面）５１ａにすると、下方左側の係合部５１の係合部分がアングル形のカム面（アールを有する平表面）５１ｂとなる。したがって、右側の上下の係合部５１は、上側がアールを有する平表面５１ｂとなり、下側が傾斜状表面５１ａとなる。
【００６２】
このように、左右上下の係合部５１は、それぞれ回転対称であることから、上下のラッチ５Ａ、５Ｂが係入穴５２に落ち込んだ（進入）ときに各ラッチ５Ａ、５Ｂの係止面６がそれぞれ同時に対向する垂直受け面５２ａ、５２ａも対角線方向の内面となる。
【実施例】
【００６３】
本実施例に於いて、ロック手段２４の形状はドーナツ形状であるが、発明の目的を達成することができる範囲で任意に設計変更をすることができる。
【００６４】
図面は割愛するが、付言すると、本実施例では、鍔状のロック手段２４は、トリガー部材２１の水平杆部分２３にスライド自在に嵌合しているが、トリガー部材２１の水平杆部分の係合部に連係（係合、軸支、噛合）するように錠箱に軸支され、かつ錠箱内の制御バネに間接的に制御される連係部材（くの字形状のクランク部材、ピニオン部材、係合突部を有する係合レバー等）であっても良い。
【００６５】
なお、ロック手段２４が「くの字形状」のクランク部材は、中心部が錠箱に横設軸架した横軸を介して軸支され、一端部がトリガー部材２１の水平杆部分の係合部に連係（係合又は軸支）し、一方、他端部がストッパー手段３５を介して又は介さないでロッキングピース１５Ａ（１５Ｂ）の背側の係合部に係脱する。
【００６６】
また、ロック手段２４がピニオン部材の場合の場合には、トリガー部材２１の水平杆部分に長さ方向に沿ってピニオン部材と噛合するラックを形成し、前記ピニオン部材には半径外方向に突出する係合突起を形成する。
【００６７】
さらに、自由端部に係合爪部を有する係合レバーの場合には、基端部を横軸に軸支し、前記係合爪部がストッパー手段３５を介して又は介さないでロッキングピース１５Ａ（１５Ｂ）の背側の係合部に係脱する。
【００６８】
したがって、本実施例のロッキングピース１５Ａ（１５Ｂ）の形態も一例であって、任意に設計変更し得る事項である。
【産業上の利用可能性】
【００６９】
本発明は、主に錠前や建具の業界で利用される。
【図面の簡単な説明】
【００７０】
図１乃至図１４は本発明の最良の実施例を示す各説明図。
【図１】閉扉時の概略の縦断面説明図。
【図２】開扉時の概略の縦断面説明図。
【図３】本発明の各部材の関係を概念的に示す説明図。
【図４】閉扉時の概略の横断面説明図（図２の４−４線に基づく平面視）。
【図５】閉扉時の概略の横断面説明図（図２の５−５線に基づく平面視）。
【図６】要部（ロック手段、制御バネ）の説明図。
【図７】要部（トリガー部材、ストッパー手段）の説明図。
【図８】各部材（ロッキングピース、係合作用片、摺動体、駆動片等）の説明図。
【図９】図９の（ａ）〜（ｃ）は、図１の閉扉状態に於いて、操作部材を操作して扉を開いた場合の作用説明図。
【図１０】図１０の（ａ）と（ｂ）は、図２の開扉状態から操作部材を操作して扉を閉めた場合の状態を示す作用説明図。
【図１１】受け具の正面図。
【図１２】左側面図。
【図１３】図１１の１３−１３線断面図。
【図１４】受け具の係合部とラッチとの摺接関係を示す概略説明図。
【符号の説明】
【００７１】
Ｘ…ラッチ錠、Ｙ…扉（自由扉）、Ｚ…戸枠、１…錠本体、２…錠箱、３…ラッチ枠、５Ａ、５Ｂ…ラッチ、６…ラッチの係止面、７…ラッチの傾斜面、８…ストッパー用突起、９…係合受け部、１０…ラッチ受け、１１…ラッチばね、１５Ａ、１５Ｂ…ロッキングピース、１５ａ…先端部、１５ｂ…後端部、１５ｃ…アーム部、１５ｄ…受け部分、１６…第１の固定枢軸、１７…第２の固定枢軸、１８…ロッキングバネ、１９…背側の係合部、２１…トリガー部材、２２…トリガーヘッド、２３…水平杆部分、２４…操作部材用ロック手段、２４ａ…外周面、２５…弱い制御バネ、２６…強い制御バネ、２７…ローラ、２８…バネ端受け、３１Ａ、３１Ｂ…係合作用片、３１ａ…先端部、３１ｂ…後端部、３１ｃ…垂直のアーム部、３２…複数の枠状摺動体、３５…ストッパー手段、３６…ストッパー本体、３７…横軸、３８…バネ、５０…受け具、５０ａ…受け具の表面、５１…係合部、５１ａ…係合部分（傾斜状表面）、５１ｂ…係合部分（平表面）、５２…係入穴、５２ａ…垂直受け面、５３…底壁、５４…平担部分、６０…操作部材、６１…開口、６２…駆動片。
【図１】
2008285892.tif 000003
【図２】
2008285892.tif 000004
【図３】
2008285892.tif 000005
【図４】
2008285892.tif 000006
【図５】
2008285892.tif 000007
【図６】
2008285892.tif 000008
【図７】
2008285892.tif 000009
【図８】
2008285892.tif 000010
【図９】
2008285892.tif 000011
【図１０】
2008285892.tif 000012
【図１１】
2008285892.tif 000013
【図１２】
2008285892.tif 000014
【図１３】
2008285892.tif 000015
【図１４】
2008285892.tif 000016